(57)【要約】【課題】信号条件の違い等によって、ノイズ低減手段が過剰に作用して尾引き現象が発生することなく、効果的なノイズ低減が可能となるノイズ低減装置及びテレビジョン受像機を提供すること。【解決手段】ノイズ低減回路１１は、入力される映像信号とその１フレーム遅延した映像信号との演算処理によってノイズ低減を行うが、その際のノイズ低減レベルを常に一定にしておく。アパーチャ補正回路１３は、前記映像信号から抽出した高域成分を補正信号として画質補正を行うもので、ノイズ検出回路９の検出レベルが大きくなると、補正信号のレベルが小さい方向に制御される。速度変調回路２０は、前記映像信号から抽出した高域成分を走査速度変調用信号として陰極線管の補助偏向コイルに供給して画質補正を行うもので、ノイズ検出回路９の検出レベルが大きくなると、走査速度変調用信号のレベルが小さい方向に制御される。【選択図】  図１
2005286413.tif 000002
【特許請求の範囲】
【請求項１】
入力される映像信号とその映像信号をフレーム遅延もしくはフィールド遅延した信号とで演算処理を行うことでノイズ低減を行うノイズ低減手段と、
前記ノイズ低減手段を常に一定の低減レベルにする手段と、
前記映像信号のノイズレベルを検出するノイズ検出手段と、
前記映像信号から抽出した高域成分を補正信号として画質補正を行うアパーチャ補正手段と、
前記映像信号から抽出した高域成分を走査速度変調用信号として陰極線管の補助偏向コイルに供給して画質補正を行う速度変調手段と、
前記ノイズ検出手段の検出レベルに応じて、前記アパーチャ補正手段の補正信号のレベル及び前記速度変調手段の走査速度変調用信号のレベルを制御する制御手段と、
を具備することを特徴とするノイズ低減装置。
【請求項２】
前記制御手段は、前記ノイズ検出手段の検出レベルが大きくなった場合には、前記アパーチャ補正手段の補正信号のレベル及び前記速度変調手段の走査速度変調用信号のレベルを減少させる方向に制御し、前記ノイズ検出手段の検出レベルが小さくなった場合には、前記アパーチャ補正手段の補正信号のレベル及び前記速度変調手段の走査速度変調用信号のレベルを増加させる方向に制御することを特徴とする請求項１に記載のノイズ低減装置。
【請求項３】
偏向コイル及び走査速度変調用の補助偏向コイルが設けられた陰極線管と、
入力される映像信号とその映像信号をフレーム遅延もしくはフィールド遅延した信号とで演算処理を行うことでノイズ低減を行うとともに、ノイズ低減レベルが固定値に設定されたノイズ低減回路と、
前記映像信号のノイズレベルを検出するノイズ検出回路と、
前記映像信号から抽出した高域成分を補正信号として画質補正を行うアパーチャ補正回路と、
前記映像信号から抽出した高域成分を走査速度変調用信号として前記補助偏向コイルに供給して画質補正を行う速度変調回路と、
前記ノイズ検出手段の検出レベルに応じて、前記アパーチャ補正回路の補正信号のレベル及び前記速度変調回路の走査速度変調用信号のレベルを制御する制御回路と、を具備したことを特徴とするテレビジョン受像機。
【請求項４】
前記ノイズ検出回路は、前記映像信号の非映像期間の映像レベルを検出することを特徴とする請求項３記載のテレビジョン受像機。
【請求項５】
前記アパーチャ補正回路は、映像信号の高域成分を抽出する回路と、この抽出回路に直列接続された第１のゲイン制御回路と、前記映像信号の低域成分に前記ゲイン補正回路によって補正された高域成分を加算する加算回路とを有し、前記制御回路からの制御信号によって前記第１のゲイン制御回路のゲインを制御することを特徴とする請求項３記載のテレビジョン受像機。
【請求項６】
前記速度変調回路は、映像信号の高域成分を微分する微分回路と、この微分回路に直列接続された第２のゲイン制御回路を有し、前記制御回路からの制御信号によって前記第２のゲイン制御回路のゲインを制御し、微分出力レベルを制御することを特徴とする請求項３記載のテレビジョン受像機。
【発明の詳細な説明】
【技術分野】
【０００１】
この発明は、テレビジョン受像機などの映像機器における映像信号のノイズ低減装置及びテレビジョン受像機に関するものである。
【背景技術】
【０００２】
テレビジョン受像機のノイズ低減機能は、一般的に映像信号の入力にノイズレベルの検出機能を設け、その検出レベルに応じてノイズを軽減させる度合いを制御するものである。
【０００３】
ノイズ検出機能としては、入力された映像信号の垂直帰線期間のある部分がゲート回路によって取り出され、その部分の信号振幅値が検出回路によって検出され検出値として出力される。ここで帰線期間は映像成分が無いため、その検出した信号振幅レベルがノイズ検出値と見なされる。
【０００４】
従来例のノイズを低減する手段としては、例えば特許文献１のように演算処理によってノイズと見なされる成分を低減するものなどが開発されている。
【０００５】
特許文献１には、撮像素子から出力される映像信号の振幅を自動的に制御する自動利得制御回路を備え、自動利得制御回路を経た現在の映像信号と１フレーム或いは１フィールド前の映像信号とを減算器で減算した信号を所定の値でリミットした後、乗算回路で所定の係数（ゲイン）で乗算した信号を現フイールドの映像信号に加算器で加算することにより映像信号のノイズを低減する場合に、自動利得制御回路の利得の値に応じて前記リミットの値を制御する構成としてある。このときＡＧＣの利得が大きくなるのに伴って前記リミットの値を大きく設定するよう制御する。これにより、ＡＧＣの利得の小さい場合には残像を増やさず、利得の大きい場合にはノイズ低減効果を大きくすることができる。
【０００６】
一方、上記の乗算回路でのゲインが１に近づくにつれ、非相関成分の減算量は大きくなり、ノイズを除去する効果は大きくなる。但し、信号内の動画成分もノイズと見なしてしまうため上記ゲインを上げていくと、動画成分が尾を引いたような見え方になってしまう。このため、ノイズの少ない信号に対しては動画の尾引きが目立つことになるためゲインはあまり上げられない。このため、上記のノイズ検出機能と連動して、このゲインを制御する手段が考えられる。このとき、入力信号のノイズレベルを検出し、ノイズが少ない場合は上記のゲインを低くとり、ノイズ検出量が多い場合には上記ゲインを大きくすると、上記ゲインを大きくしたとき、ノイズ低減効果は大きくなるが動画の尾引きが目立ってくる。
【特許文献１】特開２０００−１９６９１６号公報
【発明の開示】
【発明が解決しようとする課題】
【０００７】
上記の如く、特許文献１では、ＡＧＣの利得の大きい場合には前記リミットの値が大きく設定され帰還量が増えるので、ノイズ低減効果を大きくすることができ、またＡＧＣの利得の小さい場合には前記リミットの値が小さく設定されるので、残像は抑えられるが、ＡＧＣの利得の大きい場合には動きのある画像の場合、残像も大きくなる場合がある。
【０００８】
また、信号条件の違い、例えば地上波放送を受信した場合近接ゴースト等によって、実際のノイズレベルよりもノイズ検出値が大きく出てしまう場合もある。そうした場合、ノイズ検出結果を用いてゲインを制御すると、ノイズ低減手段が過剰に作用する。殊に演算処理によるノイズ低減手段の場合動画の尾引き現象といった形となり、見た目の不具合は顕著となる。このため、場合によっては演算処理によるノイズ低減手段は効果が減少するものの常に尾引きが発生しないようなレベルに固定とした方がよりよい場合もある。
【０００９】
そこで、本発明は、前述した信号条件の違い等によって、ノイズ低減手段が過剰に作用して尾引き現象が発生することなく、効果的なノイズ低減が可能となるノイズ低減装置及びテレビジョン受像機を提供することを目的とする。
【課題を解決するための手段】
【００１０】
本発明は前述した演算処理によるノイズ低減手段を常に一定レベルとし、ノイズ検出  値に対しては、周波数特性を補正するアパーチャ補正手段の補正信号レベルの制御に加え、速度変調手段の走査速度変調用信号レベルを制御することで前述の問題を解決するものである。
【００１１】
本発明によるノイズ低減装置は、
入力される映像信号とその映像信号をフレーム遅延もしくはフィールド遅延した信号とで演算処理を行うことでノイズ低減を行うノイズ低減手段と、
前記ノイズ低減手段を常に一定の低減レベルにする手段と、
前記映像信号のノイズレベルを検出するノイズ検出手段と、
前記映像信号から抽出した高域成分を補正信号として画質補正を行うアパーチャ補正手段と、
前記映像信号から抽出した高域成分を走査速度変調用信号として陰極線管の補助偏向コイルに供給して画質補正を行う速度変調手段と、
前記ノイズ検出手段の検出レベルに応じて、前記アパーチャ補正手段の補正信号のレベル及び前記速度変調手段の走査速度変調用信号のレベルを制御する制御手段と、を具備したものである。
【００１２】
さらに、本発明において、前記制御手段は、前記ノイズ検出手段の検出レベルが大きくなった場合には、前記アパーチャ補正手段の補正信号のレベル及び前記速度変調手段の走査速度変調用信号のレベルを減少させる方向に制御し、前記ノイズ検出手段の検出レベルが小さくなった場合には、前記アパーチャ補正手段の補正信号のレベル及び前記速度変調手段の走査速度変調用信号のレベルを増加させる方向に制御することを特徴とする。
【００１３】
本発明によれば、演算処理によるノイズ低減手段に対しては、常に一定レベルのゲインを設定することで尾引き現象を抑え、ノイズ低減の不足分については、高域成分による周波数補正のゲインの制御と、速度変調のゲインの制御によって補うことで、残像を抑えつつノイズ低減効果を保つことが可能となる。
【００１４】
本発明によるテレビジョン受像機は、
偏向コイル及び走査速度変調用の補助偏向コイルが設けられた陰極線管と、
入力される映像信号とその映像信号をフレーム遅延もしくはフィールド遅延した信号とで演算処理を行うことでノイズ低減を行うとともに、ノイズ低減レベルが固定値に設定されたノイズ低減回路と、
前記映像信号のノイズレベルを検出するノイズ検出回路と、
前記映像信号から抽出した高域成分を補正信号として画質補正を行うアパーチャ補正回路と、
前記映像信号から抽出した高域成分を走査速度変調用信号として前記補助偏向コイルに供給して画質補正を行う速度変調回路と、
前記ノイズ検出手段の検出レベルに応じて、前記アパーチャ補正回路の補正信号のレベル及び前記速度変調回路の走査速度変調用信号のレベルを制御する制御回路と、を具備したものである。
【００１５】
さらに、本発明において、前記ノイズ検出回路は、前記映像信号の非映像期間の映像レベルを検出することを特徴とする。
【００１６】
さらに、本発明において、前記アパーチャ補正回路は、映像信号の高域成分を抽出する回路と、この抽出回路に直列接続された第１のゲイン制御回路と、前記映像信号の低域成分に前記ゲイン補正回路によって補正された高域成分を加算する加算回路とを有し、前記制御回路からの制御信号によって前記第１のゲイン制御回路のゲインを制御することを特徴とする。
【００１７】
さらに、本発明において、前記速度変調回路は、映像信号の高域成分を微分する微分回路と、この微分回路に直列接続された第２のゲイン制御回路を有し、前記制御回路からの制御信号によって前記第２のゲイン制御回路のゲインを制御し、微分出力レベルを制御することを特徴とする。
【発明の効果】
【００１８】
本発明により、演算処理によるノイズ低減手段に対しては、常に一定レベルのゲインを設定することで尾引き現象を抑え、ノイズ低減の不足分は周波数補正と、速度変調のゲインの制御によって補ってノイズ低減効果を保つことで、信号条件の違いによってノイズ低減手段による尾引き現象が発生することなく効果的なノイズ低減が可能となる。
【発明を実施するための最良の形態】
【００１９】
以下、発明の実施の形態について図面を参照して説明する。  
【実施例１】
【００２０】
図１は本発明の実施例１のノイズ低減装置のブロック図を示している。本実施例は、テレビジョン受像機におけるノイズ低減装置について説明する。
【００２１】
図１において、テレビジョン受像機におけるノイズ低減装置は、アンテナ１と、チューナ２と、外部入力端子３と、信号選択回路４と、映像信号処理回路５と、同期分離回路６と、垂直偏向回路７と、水平偏向回路８と、ノイズ検出回路９と、Ａ／Ｄ変換器１０と、ノイズ低減回路１１と、Ｄ／Ａ変換器１２と、アパーチャ補正回路１３と、ドライブ回路１４と、偏向コイル１５と、陰極線管１６と、制御手段としてのマイクロプロセッサ１７と、微分回路１８及びドライブ回路１９で構成される速度変調回路２０と、速度変調コイル２１とを備えて構成されている。
【００２２】
チューナ２はアンテナ１より入力したテレビジョン放送信号を選局受信し、信号選択回路４の一方の入力端に入力する。信号選択回路４のもう一方の入力端には、外部入力端子３に接続した図示しない外部映像機器からの映像信号が入力する。信号選択回路４は２つの入力される映像信号のうちの一方を、マイクロプロセッサ１７からの選択信号に基づいて選択して出力する。マイクロプロセッサ１７には、図示しない操作手段から選局キーや入力切替キーなどのユーザー操作指示信号が入力し、マイクロプロセッサ１７からそのユーザー操作に基づいた選局及び入力切替の制御信号がチューナ２及び信号選択回路４に対して与えられることになる。
【００２３】
映像信号処理回路５は、検波回路、映像増幅回路及びＡＧＣ回路などを含み、検波後の映像信号は映像増幅の後、同期分離回路６に入力して垂直及び水平同期信号が分離される。そして、垂直同期信号及び水平同期信号はそれぞれ垂直偏向回路７及び水平偏向回路８に入力して、垂直偏向信号及び水平偏向信号となって偏向ヨークの垂直及び水平偏向コイル１２に供給されるようになっている。
【００２４】
一方、検波後の映像信号は映像増幅された後、ノイズ検出回路９に入力すると同時にＡ／Ｄ変換器１０でデジタル信号に変換されてノイズ低減回路１１に入力する。ノイズ低減回路１１でノイズ低減された映像信号はＤ／Ａ変換器１２で再びアナログ信号に変換されて出力される。
【００２５】
ノイズ検出回路９は、検波後の映像信号の非映像期間、例えば垂直帰線期間の特定期間における信号の平均レベル或いはピークレベルを検出することによって、ノイズ検出値を取得し、マイクロプロセッサ１７に供給するものである。なお、ノイズ検出つにいては、アナログ信号を基に検出しても良いし、Ａ／Ｄ変換器１０から出力されるデジタル信号を基に検出しても良い。
【００２６】
ノイズ低減回路１１は、演算処理によってノイズ成分を低減させるデジタル回路構成となっている。ノイズ低減回路１１は、例えば、図３に示すように加算器４１と、１フレーム遅延回路４２と、減算器４３と、リミット回路４４と、乗算回路４５とを備えて構成されており、１フレーム遅延回路に記憶した１フレーム遅延映像信号と現在の映像信号とを減算処理して相関性のないノイズ成分を抽出し、この非相関なノイズ成分を現在の映像信号に足し込むことでノイズ成分が減算された映像信号を得、これを何回か繰り返すことで映像信号の非相関成分、即ち、ノイズ成分を除去する。図３については後述する。
【００２７】
演算処理によるノイズ低減回路１１でノイズ低減された映像信号は、Ｄ／Ａ変換器１２でアナログ信号に変換された後、画像の輪郭を強調するためのアパーチャ補正回路１３に入力すると同時に、陰極線管１６の電子ビームの水平走査速度を変調することで画像の輪郭補償を行う速度変調回路２０に入力する。
【００２８】
アパーチャ補正回路１３及び速度変調回路２０とも、映像信号の画質補正機能を下げること、即ち、信号の周波数成分のうち、ノイズが顕著に強調される部分を低減させることで、ノイズ低減の目的を果たすことができる。例えば、アパーチャ補正等の画質補正機能は、目視上最も顕著に現れる周波数成分を強調するもので、言いかえればノイズを最も顕著に目立たせる機能とも言える。従って、この機能の効き方を落とせば目視上ノイズの低減も顕著に行うことが可能となる。
【００２９】
アパーチャ補正回路１３にてアパーチャ補正された映像信号は、映像出力回路である陰極線管１６前段のドライブ回路１４に供給される。ドライブ回路１４からの映像信号は陰極線管１６のカソードに入力して、電子ビームの走行速度を映像信号の振幅に応じて変化させることによって画像を陰極線管１６の蛍光面上に表示させる。
【００３０】
速度変調回路２０は、微分回路１８とドライブ回路１９とで構成され、映像信号を微分回路１８にて微分した信号をドライブ回路１９で増幅して、陰極線管１６のネック部の外周部分に配設された補助偏向コイルである速度変調コイル２１に供給することで、画像のエッジ部の走査速度を変えて輪郭補償を行う。
【００３１】
マイクロプロセッサ１７は、ノイズ検出回路９のノイズ検出値に応じて、ノイズ低減回路１１の乗算回路の係数（帰還係数Ｋ）、アパーチャ補正回路１３のアパーチャ補正量（周波数補正レベル）、及び速度変調回路２０の速度変調ゲイン（微分回路１８の出力段のゲイン）を制御するようになっている。
【００３２】
ノイズ検出回路９のノイズ検出値に応じて、マイクロプロセッサ１７がノイズ低減回路１１，アパーチャ補正回路１３及び速度変調回路２０のそれぞれのゲインを制御するが、本発明の実施例では、ノイズ低減回路１１の乗算係数（帰還係数）については、動画像における尾引きを目立たなくするために、乗算係数（帰還係数）を常に一定のレベルに固定しておく。従って、ノイズ低減回路１１の乗算係数については、ノイズ検出回路９のノイズ検出値に応じて特に制御する必要がない。アパーチャ補正回路１３のアパーチャ補正量（周波数補正レベル）、及び速度変調回路２０の速度変調ゲインについては、ノイズ検出回路９のノイズ検出値に応じて、これらのゲインを変えるように制御する。即ち、入力映像信号のノイズレベルが増大した場合には、アパーチャ補正量や速度変調のゲインを減らす方向に制御する。
【００３３】
本発明の実施例の動作を、図１のブロック図に沿って説明する。  
図１において、映像信号処理回路５から出力されたベースバンドの映像信号Ｓ1はノイズ検出回路９に入力する。ここで、映像信号の非映像期間である垂直帰線期間の平坦部の一部区間の振幅レベル検出が行われる。この一部区間は平坦部であるため、この区間の信号レベルの平均値又はピーク値をノイズ検出値と見なすことができる。また、このノイズ検出結果はマイクロプロセッサ１７に送信される。
【００３４】
前記映像信号Ｓ1は、Ａ／Ｄ変換器１０を介して、演算処理によるノイズ低減を行うノイズ低減回路１１に入力される。ここでの動作は図３にて詳しく説明する。ノイズ低減回路１１で、ノイズ低減レベルを決めるゲイン設定部手段である乗算回路４５の制御端子４６は前述のマイクロプロセッサ１７に接続されており、制御信号として常に一定レベルが与えられている。（或いは、乗算回路４５から制御端子４６を無くした場合には、乗算器の乗算係数は回路素子と電源電圧によって決定される固定値とされている）。ノイズ低減回路１１で、演算処理によってノイズ低減された後、Ｄ／Ａ変換器１２にてアナログ信号に変換された映像信号Ｓ3はつ、アパーチャ補正回路１３と、速度変調用の微分回路１８に入力される。アパーチャ補正回路１３と、速度変調用の微分回路１８は、２つとも画質補正手段を構成するものである。
【００３５】
アパーチャ補正回路１３では、映像信号Ｓ3を微分した輪郭強調用の補正信号を元の映像信号Ｓ3に加算することによって周波数補正が行われ、輪郭強調用の補正信号のレベルは前述のマイクロプロセッサ１７によってノイズ検出値に応じて制御される。また、速度変調回路２０を構成する微分回路１８の出力段でも、水平走査速度変調用の微分信号のレベルがマイクロプロセッサ１７によってノイズ検出値に応じて制御される。
【００３６】
速度変調回路２０は、微分回路１８にて得られる映像信号の微分成分をドライブ回路１９によって増幅、電流変換して、陰極線管１６のネックに巻いた速度変調コイル２１にその電流を流すことでラスター走査の速度が映像微分成分で変調され、陰極線管１６上の映像の輪郭を強調する。しかし、速度変調回路２０による速度変調機能は、映像信号のノイズ成分が多い場合、ノイズの輪郭が強調されるため、逆効果となることがある。このため、ノイズの多い信号に対して速度変調のゲインを下げることがノイズ低減する上では有効となる。
【００３７】
本発明の実施例では、ノイズ検出回路９の検出値が小さくなった場合、マイクロプロセッサ１７はアパーチャ補正回路１３の補正信号のゲインを上げて補正値を増加させる方向に制御し、映像信号の高域の周波数補正量を大きくする。同様に、ノイズ検出回路９の検出値が小さくなった場合、マイクロプロセッサ１７は速度変調回路２０の速度変調用信号のゲインを上げて、速度変調出力レベルを増加させる方向に制御する。
【００３８】
一方、ノイズ検出回路９の検出値が大きくなった場合には、マイクロプロセッサ１７は、アパーチャ補正回路１３のアパーチャ補正量や速度変調回路２０の速度変調のゲインを減少させる方向に制御する。このため、ノイズ成分がアパーチャ補正や速度変調によって目視上強調されることが無くなる。また、演算処理によるノイズ低減も常に一定値のため動画部に尾引きが出ることも無くなる。
【００３９】
図２は上記ノイズ検出回路９の構成のブロック図を示している。  
図２において、ノイズ検出回路９は、入力される映像信号Ｓ1のうちの非映像期間を取り出すためのゲート回路３１と、取り出された非映像期間における信号レベルを検出するレベル検出回路３２とを備えて構成されている。
【００４０】
この構成では、入力された映像信号Ｓ1の非映像期間、例えば垂直帰線期間の特定期間がゲート回路３１によって取り出され、その特定期間の信号振幅値がレベル検出回路３２によって検出され、レベル検出値Ｓ2として出力される。ここで帰線期間は映像成分が無いため、その検出した信号振幅レベルがノイズ検出値と見なすことができる。
【００４１】
図３は上記ノイズ低減回路１１の構成のブロック図を示している。  
図３において、ノイズ低減回路１１は、映像信号がインターレースである場合は、映像信号がフレーム間で相関を有しており、ノイズ成分がフレーム間で相関を有していないことを利用して、ノイズ成分を低減する回路であり、加算器４１，フレームメモリで構成される１フレーム遅延回路４２，減算器４３，リミット回路４４，ゲイン設定手段である乗算回路４５を備えて構成されている。乗算回路４５は、その乗算係数（帰還係数）を制御信号によって制御可能な制御端子４６を有している。本発明の実施例では、制御端子４６の制御値は一定値に固定されるため、乗算回路４５内で乗算係数を設定可能に構成すれば制御端子４６は特に設けられていなくてもよい。
【００４２】
この構成では、現在の映像信号と１フレーム前の映像信号（即ち１フレーム遅延回路４２により１フレーム遅延された映像信号）を減算器４３で減算し、その減算信号はフレーム間で非相関成分であってノイズ成分とみなされ、リミット回路４４、乗算回路４５を経て加算器４１で現在の映像信号に加算されることでノイズ成分が低減される。なお、映像信号がノンインターレースである場合は、映像信号がフィールド間で相関を有しており、ノイズ成分がフィールド間の相関を有していないことを利用できるので、１フレーム遅延回路４２の代わりに、フィールドメモリで構成される１フィールド遅延回路を用いた構成としてもよい。
【００４３】
リミット回路４４は減算器４３の出力信号があるレベル以上では信号をある所定のレベル（リミット値）に制限することにより動きのある映像（このときは減算器４３の出力が大きくなる）に対しては帰還量を制限することによりノイズ低減回路の弊害である残像（完全に静止している画像の場合は減算器４３の出力にはノイズ成分のみが出てくるが、動きのある画像の場合は１フレーム前の映像信号と現在の映像信号との映像成分の差分も含まれてくる。この映像差分を含んだ信号を現在の映像信号に加算するために残像が発生する)が多くなるのを防止する。
【００４４】
乗算回路４５は帰還係数Ｋ（０≦Ｋ＜１）を乗ずるものであり、Ｋが１に近づくほどノイズ低減の効果は大きくなるが、動きのある映像での残像（尾引きとなる）が大きくなるため、本発明の実施例では、帰還係数Ｋはリミット回路４４のリミット値とともに適宜の一定値に設定しておく。即ち、帰還係数Ｋは、ノイズ低減効果と残像を最適とするように一定レベルに抑えておく。
【００４５】
入力された映像信号は、１フレーム遅延回路４２からの出力されるフレーム（若しくはフィールド）遅延された映像信号との差が取られ、リミット回路４４、乗算回路４５を経て、再び原信号との差が取られる。このとき、最初の差分信号はフレーム間で相関性がない信号すなわちノイズ成分となる。従って、この信号と原信号の差はノイズ成分が引かれたものとなる。このノイズ成分が減算された映像信号は、再び１フレーム遅延回路４２に入力される。こういった巡回作用を繰り返されることで、映像信号の非相関成分、すなわちノイズ成分が減少することになる。尚、２回目の差がとられる前の係数設定において、係数Ｋが１に近づくにつれ、非相関成分の減算量は大きくなり、ノイズを除去する効果は大きくなる。しかし、信号内の動画成分もノイズと見なしてしまうため前記係数を上げていくと、動画成分が尾を引いたような見え方になってしまう。このため、動画像の映像信号の場合、ノイズの少ない映像信号に対しては動画の尾引きが目立つことになるため係数Ｋを尾引きの目立たない適宜な一定値に設定する。
【００４６】
図４は上記アパーチャ補正回路１３の構成のブロック図を示している。  
図４において、アパーチャ補正回路１３は、ノイズ低減回路１１からのアナログ変換された映像信号Ｓ3は、抵抗Ｒ1及びコンデンサＣ1の並列回路とコイルＬ1とによる微分回路と、カップリング用のコンデンサＣ2とを通して、高域成分が抽出される。そして、この高域成分信号の振幅レベルはゲイン制御回路５１を通過することによって適宜のレベルに制御され、輪郭強調用のアパーチャ補正信号として加算回路５３の一方の入力端に入力される。なお、ゲイン制御回路５１の制御端子５２には、マイクロプロセッサ１７からの前記ノイズ検出値に応じた制御信号が供給され、これによってゲイン制御回路５１からは前記ノイズ検出値に応じた輪郭強調用のアパーチャ補正信号が出力されるようになっている。加算回路５３のもう一方の入力端には、元の映像信号Ｓ3がカップリング用のコンデンサＣ3を通して入力される。加算回路５３では、元の映像信号Ｓ3に対して、ゲイン制御回路５１からのノイズ検出値に応じた補正信号（アパーチャ補正量）が加算され、アパーチャ補正された映像信号Ｓ4として出力される。
【００４７】
マイクロプロセッサ１７は、ノイズ検出回路９からのノイズ検出値Ｓ2が大きくなった場合には、ゲイン制御回路５１における補正信号レベル（アパーチャ補正量）を減らす方向に制御し、またノイズ検出回路９からのノイズ検出値Ｓ2が低くなった場合には、ゲイン制御回路５１における補正信号レベル（アパーチャ補正量）を大きくする方向に制御する。
【００４８】
図５は上記速度変調回路２０における微分回路１８の構成のブロック図を示している。  
図５に示す微分回路１８は、ノイズ低減回路１１からのアナログ変換された映像信号Ｓ3は、カップリング用コンデンサＣ11及び入力抵抗Ｒ13を介して増幅用トランジスタＱ1のベースに入力する。トランジスタＱ1のベースには、電源端子６１の直流電源＋Ｂの直流電圧を抵抗Ｒ11と抵抗Ｒ12で分圧した電圧が抵抗Ｒ13を介して供給される。トランジスタＱ1のコレクタは、コレクタ抵抗Ｒ13を介して前記電源端子６１に接続し、エミッタはエミッタ抵抗Ｒ14を介して基準電位点に接続している。
【００４９】
増幅用トランジスタＱ1で増幅されたコレクタ出力はトランジスタＱ2のベースに入力する。トランジスタＱ2のコレクタは前記電源端子６１に接続し、ランジスタＱ2のエミッタは抵抗Ｒ15及びコイルＬ1から成る微分回路と、抵抗Ｒ16及び高域補償用コンデンサＣ12の並列回路とを直列に介して基準電位点に接続している。微分回路の抵抗Ｒ15とコイルＬ1の接続点には入力映像信号の１次微分信号が得られ、次段の出力用トランジスタＱ3のベースに入力する。トランジスタＱ3のコレクタは前記電源端子６１に接続し、エミッタはエミッタ抵抗Ｒ17を介して基準電位点に接続している。即ち、出力用トランジスタＱ3はエミッタ抵抗と共にエミッタフォロア回路を構成している。
【００５０】
出力用トランジスタＱ3のエミッタから出力される水平走査速度変調用の微分信号はカップリング用コンデンサＣ13を介して出力段のゲイン制御回路６２に入力する。ゲイン制御回路６２の制御端子６３には、マイクロプロセッサ１７からの前記ノイズ検出値に応じた制御信号が供給され、これによってゲイン制御回路６２からは前記ノイズ検出値に応じた水平走査速度変調用の微分信号Ｓ5が出力される。この水平走査速度変調用の微分信号Ｓ5は、電力増幅用のドライブ回路１９にて電力増幅されて、速度変調コイル２１に供給される。
【００５１】
マイクロプロセッサ１７は、ノイズ検出回路９からのノイズ検出値Ｓ2が大きくなった場合には、ゲイン制御回路６２における速度変調用ゲインを減らす方向に制御し、ノイズ検出回路９からのノイズ検出値Ｓ2が低くなった場合には、ゲイン制御回路６２における速度変調用出力ゲインを大きくする方向に制御する。
【産業上の利用可能性】
【００５２】
以上の実施の形態では、テレビジョン受像機におけるノイズ低減装置について説明したが、本発明はこれに限定されることなく、ＶＴＲやビデオカメラ等の映像機器におけるノイズ低減装置に応用することが可能である。
【図面の簡単な説明】
【００５３】
【図１】本発明の実施例１のノイズ低減装置のブロック図。
【図２】ノイズ検出回路の構成のブロック図。
【図３】ノイズ低減回路の構成のブロック図。
【図４】アパーチャ補正回路の構成のブロック図。
【図５】速度変調回路における微分回路の構成のブロック図。
【符号の説明】
【００５４】
９…ノイズ検出回路
１１…ノイズ低減回路
１３…アパーチャ補正回路
１５…偏向コイル
１６…陰極線管
１７…マイクロプロセッサ（制御手段）
１８…微分回路
２０…速度変調回路
２１…速度変調コイル
代理人    弁理士      伊    藤      進 
【図１】
2005286413.tif 000003
【図２】
2005286413.tif 000004
【図３】
2005286413.tif 000005
【図４】
2005286413.tif 000006
【図５】
2005286413.tif 000007